(57)【要約】【課題】  据付搬入ルートの干渉などを考慮でき、据付工程を動的に作成ないし変更可能な据付工事管理システムを提供する。【解決手段】  プラント構造物を構成する複数の資材を３Ｄ−ＣＡＤモデル化してなる資材モデルが格納された資材モデルデータベース１０２と、前記資材モデルを複数接続して構成される構造モデルが格納された構造モデルデータベース１０３と、前記構造モデルに係る前記資材の荷受日と据付完了設定日を含む据付データを入力設定する入力手段１０４と、前記入力手段により入力された指定日における前記構造モデルの据付進行状況を前記据付データに基づいて確認し、確認した据付進行状況に基づいて据付が完了している前記構造モデルの３Ｄ画像を表示画面１０６に表示する据付作業確認手段１０５を備え、入力される指定日におけるプラントの３Ｄ画像が表示されるから、据付計画者は容易に据付進行状況を確認することができる。【選択図】    図１
2005242531.tif 000002
【特許請求の範囲】
【請求項１】
プラント構造物を構成する複数の資材を３Ｄ−ＣＡＤモデル化してなる資材モデルが格納された資材モデルデータベースと、前記資材モデルを複数接続して構成される構造モデルが格納された構造モデルデータベースと、
前記構造モデルに係る前記資材の荷受日と据付完了設定日を含む据付データを入力設定する入力手段と、
前記入力手段により入力された指定日における前記構造モデルの据付進行状況を前記据付データに基づいて確認し、確認した据付進行状況に基づいて据付が完了している前記構造モデルの３Ｄ画像を表示画面に表示する据付作業確認手段を備えてなる３Ｄ−ＣＡＤを活用した据付工事管理システム。
【請求項２】
前記入力手段は、前記据付データに前記構造モデルの据付搬入ルートを入力設定可能に形成され、
前記据付作業確認手段は、前記構造モデルの据付搬入ルートが、先に据付完了した構造モデルによって干渉を受けるか否か判断する据付搬入ルート干渉チェック手段を備えてなることを特徴とする請求項１に記載の据付工事管理システム。
【請求項３】
前記据付作業確認手段は、前記入力手段により設定される前記据付データが変更されたときに実行されることを特徴とする請求項１または２に記載の据付工事管理システム。
【請求項４】
前記据付搬入ルート干渉チェック手段は、前記干渉を受ける据付搬入ルートに係る前記構造モデルを識別可能に前記表示画面に表示することを特徴とする請求項３に記載の据付工事管理システム。
【請求項５】
前記据付作業確認手段は、前記構造モデルを据付済み、工事中、仮置中、未着手に分類して前記３Ｄ画像に表示することを特徴とする請求項１に記載の据付工事管理システム。
【請求項６】
前記入力手段は、前記据付データを入力する入力画面であり、前記据付作業確認手段により表示される前記３Ｄ画像と並べて同一画面に表示されることを特徴とする請求項１乃至５のいずれか１項に記載の据付工事管理システム。
【請求項７】
前記資材モデルは、種類、材質、重量、寸法の資材データを含んでなり、前記構造モデルは、配置位置、据付フロア、資材相互の接続関係の配置データを含んでなることを特徴とする請求項１に記載の据付工事管理システム。
【請求項８】
前記据付データは、前記構造モデルに係る資材の仮置場情報を含むことを特徴とする請求項１に記載の据付工事管理システム。
【請求項９】
工事中の構造モデルの据付搬入ルート、仮置中の構造モデルに係る資材の仮置位置に分類して前記３Ｄ画像に表示することを特徴とする請求項８に記載の据付工事管理システム。
【請求項１０】
前記据付作業確認手段は、前記資材モデル、前記構造モデル、および前記据付データに基づいて、前記構造モデルの据付作業に必要な仮設材物量と工事工数を算出して、前記据付データに付加することを特徴とする請求項１に記載の据付工事管理システム。
【請求項１１】
前記据付作業確認手段は、前記資材モデル、前記据付データが変更されたとき、前記構造モデルの据付作業に必要な仮設材物量と工事工数を算出して、前記据付データに付加することを特徴とする請求項１０に記載の据付工事管理システム。
【発明の詳細な説明】
【技術分野】
【０００１】
本発明は、プラント建設における工事計画および工事工程の管理等に好適な３Ｄ−ＣＡＤを活用した据付工事管理システムに関する。
【背景技術】
【０００２】
３Ｄ−ＣＡＤシステムを利用して、プラント建造物の建設工程全体を計画する方法が提案されている（例えば、特許文献１）。この方法によれば、一連の建設作業に関連する複数の部品を、３Ｄ−ＣＡＤシステムにより作成された個々の部品の属性データ（部品種類、口径、接続関係等）を用いてグループ化し、グループ単位で据付などの建設工程を検討して工程データを作成するようにしている。また、必要に応じて、グループを統合し、あるいは分割して再編するようにしている。さらに、ＣＡＤ図面データと建設作業とをリンクさせて、プラントの工事の進め方をアニメーションで確認しながら工程表を作成するなど、建設工程作成の合理化を図ることが提案されている。
【０００３】
【特許文献１】特開２００２−１２３７８６号公報
【発明の開示】
【発明が解決しようとする課題】
【０００４】
しかしながら、特許文献１に記載された従来の技術は、次の事項について配慮されていないという問題がある。
【０００５】
建設現場における施工は、建設現場の敷地面積の制約、あるいは精密機器などのように屋外の仮置きが許されないなどの制約により、建設現場において資材の物流管理が必要となる。特に、資材の荷受日の変更や工事の進捗状況に動的に対応して管理することについて配慮されていない。
【０００６】
また、資材を据付場所に搬入する搬入ルート上に、他の資材や機器が既に据え付けられている場合、そのままでは据付できなくなるが、従来は、据付搬入ルートの干渉チェックについては配慮されていない。
【０００７】
また、配管の現地ブロック化による仮設材物量や工事工数の低減を目的とした据付作業および据付工程の計画に配慮されていない。
【０００８】
本発明は、資材の荷受日の変更や工事の進捗状況に対応して据付工程を動的に作成ないし変更可能な据付工事管理システムを提供することを課題とする。
【０００９】
また、据付搬入ルートの干渉の有無および仮設材物量や工事工数を判断して、据付作業および据付工程を動的に作成ないし変更可能な据付工事管理システムを提供することを他の課題とする。
【課題を解決するための手段】
【００１０】
本発明は、次に説明する手段により、上記の課題を解決するものである。基本的に、プラント設計においては、３Ｄ−ＣＡＤシステムを利用して、プラントを構成する資材をモデル化して３Ｄ図面化することが多くなっている。このとき、３Ｄ図面上に作成される資材モデルは、そのモデル作成時に、種類、材質、寸法、重量、ユーザ定義情報などの資材データが付加して作成される。また、資材モデルのプラントにおける配置情報、資材相互の接続関係などの配置データからなる構造モデルが作成される。そこで、本発明は、プラント設計段階で作成された資材モデルデータベースおよび構造モデルデータベースを利用して据付工事管理システムを構築するものである。
【００１１】
具体的には、本発明の据付工事管理システムは、プラント構造物を構成する複数の資材を３Ｄ−ＣＡＤモデル化してなる資材モデルが格納された資材モデルデータベースと、前記資材モデルを複数接続して構成される構造モデルが格納された構造モデルデータベースと、前記構造モデルに係る前記資材の荷受日と据付完了設定日を含む据付データを入力設定する入力手段と、前記入力手段により入力された指定日における前記構造モデルの据付進行状況を前記据付データに基づいて確認し、確認した据付進行状況に基づいて据付が完了している前記構造モデルの３Ｄ画像を表示画面に表示する据付作業確認手段を備えてなることを特徴とする。
【００１２】
これにより、本発明によれば、入力手段から据付進行状況の確認をしたい指定日を入力すると、その指定日におけるプラントの状態図が３Ｄ画像として表示されるから、その３Ｄ画像により据付計画者は容易に据付進行状況を確認することができる。また、入力手段から構造モデルに係る資材の荷受日または据付完了設定日の変更を入力すると、その据付データの変更に対応して動的に３Ｄ画像が変わるから、それらの変更に伴う据付進行状況の変動を容易に把握できる。
【００１３】
特に、設計者により入力された資材相互の接続関係に対し、据付工事計画者が具体的な接続方法、時期を与えることを可能とすることが好ましい。また、構造モデルの据付搬入ルートを据付データに入力設定可能に形成し、据付作業確認手段は、前記資材の据付搬入ルートが、先に据付完了した構造モデルによって干渉を受けるか否か判断する据付搬入ルート干渉チェック手段を備えてなるものとすることが好ましい。これによれば、資材の荷受日の変更や工事の進行状況に対応して、据付方法や据付搬入ルートの干渉の有無を判断して、据付作業および据付工程を動的に作成ないし変更することができる。その結果に基づいて、据付計画の検証及びプラント納期に及ぼす影響を判断できるから、構造モデルの構成の変更、あるいは荷受日を早めに変更するなどの対応を取ることにより、最適納期の計画および管理をすることができる。
【００１４】
また、据付作業確認手段は、入力手段により設定される据付データが変更されたときに実行することが好ましい。これにより、例えば、据付搬入ルート干渉チェックの結果に基づいて、据付計画者が据付データのうちの例えば据付搬入ルートを変更すると、変更後の据付搬入ルートによれば、干渉を回避できるか否かを直ちに把握することができる。この場合、据付搬入ルート干渉チェック手段は、前記干渉を受ける据付搬入ルートに係る前記構造モデルを識別可能に前記表示画面に表示することが好ましい。また、前記入力手段を、前記据付データを入力する入力画面として、前記据付作業確認手段により表示される前記３Ｄ画像と並べて同一画面に表示することが好ましい。
【００１５】
ここで、資材モデルには、種類、材質、重量、寸法の資材データを含ませ、前記構造モデルには、配置位置、据付フロア、資材相互の接続関係の配置データを含ませることができる。また、据付データには、構造モデルに係る資材の仮置場情報を含ませることができる。
【００１６】
さらに、据付作業確認手段は、資材モデルや据付データが変更されたとき、変更後の資材モデル、構造モデルおよび据付データに基づいて、前記構造モデルの据付作業に必要な仮設材物量と工事工数を算出して、前記据付データに付加する構成とすることができる。
【００１７】
言い換えれば、本発明の据付工事管理システムは、プラント建設に係る３Ｄ−ＣＡＤシステムのモデルの対象範囲を、資材置場、倉庫及び仮設工場を含む現場サイト全体に広げ、資材（含む機材）の発注、荷受、保管、据付完了等のサイト内の資材の物流情報を一元管理することができる。
【発明の効果】
【００１８】
本発明の据付工事管理システムによれば、資材の荷受日の変更や工事の進捗状況に対応して据付工程を動的に作成ないし変更可できる。
【００１９】
また、据付搬入ルートの干渉有の判断や、仮設材物量や工事工数を比較しながら、据付作業および据付工程を動的に作成ないし変更することができる。
【発明を実施するための最良の形態】
【００２０】
本発明の実施の形態を図面に基づいて説明する。図１に本発明の一実施の形態の据付工事管理システムの全体構成図を示し、図２に本実施の形態の据付工事管理の処理手順の概要を示す。また、図３乃至図５に、各部の詳細な処理手順を示す。
【００２１】
図１に示すように、本実施の形態の据付工事管理システム１０１は、資材モデルデータベース１０２、構造モデルデータベース１０３、据付データ入力手段１０４、据付作業確認手段１０５、３Ｄ画像表示装置１０６を含んでなる、いわゆる３Ｄ−ＣＡＤシステムで構成されている。
【００２２】
資材モデルデータベース１０２には、プラント建造物を構成する様々な資材を３Ｄ−ＣＡＤによりモデル化してなる資材モデル１０７が格納されている。個々の資材モデルｉ（ｉ＝１、２、３、・・・、ｎ）１０７は、資材データ１０８として、種類１０９、材質１１０、寸法１１１などの属性データが付与されている。
【００２３】
構造モデルデータベース１０３には、プラント建造物を構成する全ての構造モデル１１２の３Ｄ−ＣＡＤデータが格納されている。構造モデル１１２は、複数の資材モデル１０７から構成される構造物のモデルであり、複数の資材からなる一纏まりの資材グループを構造モデルとして、プラントの設計者により適宜定義される。図示例では、構造モデルｊ（ｊ＝１、２、３、・・・、ｋ）１１２は、配置データ１１３として、構造モデル１１２を構成する資材モデル１０７、その資材モデル１０７の配置位置１１４、資材モデル１０７の相互接続関係１１５、階層（フロア）を有する建造物における据付フロア１１６などの属性データが付与されている。
【００２４】
据付データ入力手段１０４からは、据付データ１１７として、構造モデル１１２を構成する資材について、工事現場であるサイトへの荷受日１１８、仮置位置１１９、据付完了設定日１２０、据付搬入ルート１２１、資材相互接続関係１２２が入力設定されるようになっている。入力設定された据付データ１１７の荷受日１１８、仮置位置１１９、据付完了設定日１２０、据付搬入ルート１２１、資材相互接続関係１２２は、構造モデル１１２に付与されるようになっている。ここで、、資材相互接続関係１２２は、設計者により与えられた、資材相互接続関係１１６に、据付工事計画者が具体的な接続方法、時期を与えるようになっている。
【００２５】
据付作業確認手段１０５は、工事進行状況／作業内容確認手段１２３、据付搬入ルート干渉チェック手段１２４、仮設材物量算出手段１２５、工事工数算出手段１２６を有して構成されている。仮設材物量算出手段１２５と工事工数算出手段１２６で算出された工事工数と仮設材物量は、据付データ１１７として登録されるようになっている。
【００２６】
次に、図２を参照して、据付工事管理の処理手順の概要を説明する。処理開始（ステップ２０１）に続いて、プラント設計者は既に登録済みの資材モデル１０７を３Ｄ画面上に構造モデル１１２として配置することにより、プラント建造物の３Ｄ画像モデルを作成する（ステップ２０２）。その際、構造モデル１１２に個々の配置データ１１３を付与する。次いで、据付計画者により、据付データ１１７が入力される（ステップ２０３）。据付データ１１７が入力されると、据付作業確認手段１０５が作動する（ステップ２０４）。このステップ２０４の詳細は、図３乃至図５を参照して後述する。次いで、据付作業確認手段１０５の処理結果が、据付完了設定日を満足しない場合、据付搬入ルートが他の構造モデルと干渉するなどの不都合がある場合は、それらの据付データ１１７を変更してステップ２０３に戻り、上記処理を繰り返す（ステップ２０５）。つまり、据付作業を再検討して、荷受日、据付搬入ルート、据付完了設定日などの据付データ１１７の変更を行い、全ての構造モデルｊに据付データ１１７を付与する。このようにして、据付作業に不都合がなくなった場合は、据付作業確認手段１０５の処理を終了する（ステップ２０６）。これにより、サイト荷受けから据付完了設定日までの３Ｄ画像により、据付作業を確認しながら据付工程を決定することができる。また、可視化されたサイト内物流の把握が可能である。
【００２７】
ここで、図３を参照して、据付作業確認手段１０５の工事進行状況／作業内容確認手段１２３の処理について説明する。据付工事の計画者は、工事進行状況を確認したい日付を指定日（Ｘ）３０１として選択するか（ステップ３０１）、又は工事進行状況を確認したい構造モデル１１２を選択する（ステップ３０２）。ここで、構造モデル１１２の選択を行った場合は、その構造モデルの据付完了設定日（Ｘ）を据付データ１１７から抽出する（ステップ３０３）。据付作業確認手段１０５は、全ての構成モデル１１７の荷受日（Ａｊ）１１８、据付完了設定日（Ｂｊ）１２０を抽出し（ステップ３０４）、指定日Ｘと設定日Ｂｊまたは荷受日Ａｊを比較して（ステップ３０５ａ〜３０５ｃ）、全ての構造モデルに係る資材を、据付済資材３０６、工事中資材３０７、仮置中資材３０８、未着手資材３０９に自動分別する。
【００２８】
次に、据付工事の計画者は、据付済資材３０６、工事中資材３０７、仮置中資材３０８、未着手資材３０９の表示有無／表示色を選択する（ステップ３１０）。これにより、３Ｄ画像表示装置１０６に据付工事の進行状況に応じて色分け等による識別表示された３Ｄ画像により、全ての構造モデルの据付工事の進行状況および資材の物流状態を容易に確認できる。また、工事中資材３０７の据付搬入ルート３１２と仮置中資材３０８の仮設場配置３１３を、３Ｄ画像上に表示する（ステップ３１１）。これにより、据付作業状況、荷受状況およびサイト内における仮置き場など、据付に必要な資材の物流を容易に確認することができる。
【００２９】
図４に、据付搬入ルート干渉チェック手段１２４の詳細な処理手順を示す。干渉チェック手段１２４の開始処理（ステップ４０１）に続いて、据付計画者が搬入ルートの干渉チェックを行いたい資材を３Ｄ画像上にて選択する（ステップ４０２）。これに応動して、据付搬入ルート干渉チェック手段１２３は選択された資材に係る構造モデルの据付データ１１７を自動的に抽出する（ステップ４０３）。次いで、選択された構造モデルの据付完了設定日における据付搬入ルートの干渉チェックを実行する（ステップ４０４）。据付計画者は、干渉チェックの結果に基づき、必要に応じ据付データの変更を入力すると（ステップ４０５）、この変更された据付データに基づいて据付搬入ルート干渉チェック４０４を繰り返し、据付搬入ルートが他の資材や構造モデルと干渉していない結果が得られたら、干渉チェックを終了する（ステップ４０６）。
【００３０】
ここで、ステップ４０４における据付搬入ルートの干渉チェックの具体的な手順の一例を説明する。図４に示すように、据付計画者は構造モデルを選択する（ステップ４０４ａ）。選択された構造モデルの据付搬入ルートが、１(X１,Ｙ１,Ｚ１)、２(X２,Ｙ２,Ｚ２)、… 、ｉ−１（Xｉ−１,Ｙｉ−１,Ｚｉ−１)、ｉ(Xｉ,Ｙｉ,Ｚｉ)であったとする。ここで、X、Ｙ、Ｚは直交座標上の座標位置を示し、ｉは据付搬入ルート上に設定されたチェックポイントのカウンタである。据付搬入ルート干渉チェック手段１２４は、チェックポイント１〜２、２〜３、・・・、ｉ−１、iまでの個々のルートについて干渉をチェックする（ステップ４０４ｂ）。この干渉チェックは、据付搬入ルートを据付計画者が定めた分割数ｎ（＝１〜Ｋ）で分割したルート上に、選択された構造モデルを連続して配置する（ステップ４０４ｃ）。次いで、分割数ｎを１〜Ｋまでインクリメントし（ステップ４０４ｄ）、配置した構造モデルが１つでも他の構造モデルと接触するなどの干渉がある場合は、干渉ありと決定する（ステップ４０４ｆ）。ステップ４０４ｄの判定で、干渉が無い場合は、ステップ４０４ｅに進んでチェックポイントｉをインクリメントして、ステップ４０４ｂ〜４０４ｄを繰り返す。これらの処理を実行して、据付搬入ルートに干渉が無ければ、干渉無しと判定して処理を終了する（ステップ４０４ｇ）。この場合の干渉対象物は、選択された資材の据付完了設定日において据付済みの全ての構造モデルであり、前述した据付済資材３０６の３Ｄ画像により干渉チェックを行う。
【００３１】
図５に、据付作業確認手段１０５における仮設材物量算出手段１２４と工事工数算出手段１２５の詳細処理手順を示す。処理開始（ステップ５０１）に続いて、据付計画者により据付データ入力の指令が入力される（ステップ５０２）。これにより、仮設材物量と工事工数の算出手段は、自動的に構造モデルに係る工事工数と仮設材物量に影響を与えるデータ（種類Ｋ、材質Ｍ、重量Ｔ、寸法φ、資材相互の接続関係Ｚ、据付高さＨ、等）を資材モデルおよび構造モデルから抽出する（ステップ５０３）。次いで、係数Ｋｉ、Ｈｉ、Ｚｉ、Ｍｉ、・・・を摘出し（ステップ５０４）、工事工数と仮設材物量の算出する（ステップ５０５）。ここで、係数Ｋｉ等は、工事工数と仮設材物量に影響を与える資材の種類Ｋ、据付高さＨ、資材相互の接続関係Ｚ、材質Ｍなどのデータに基づいて予め設定されている。また、工事工数Ｗに影響を及ぼす資材の重要度を示す重み係数ＷＴ、Ｗφ、・・・、および仮設材物量Ｑに影響を及ぼす資材の重要度を示す重み係数ＱＫ、ＱＨ、・・・が予め設定されている。また、これらの係数は、据付作業を行う土地や作業員の質等の違いにより係数、重み係数等を変化させることができる。ステップ５０５において算出された工事工数と仮設材物量は、自動的に据付データに入力され（ステップ５０６）、本処理は終了する（ステップ５０７）。
【００３２】
以上説明したように、本実施の形態によれば、資材の荷受日の変更や工事の進行状況に対応して据付工程を動的に作成ないし変更できる。また、据付搬入ルートの干渉の有無を判断して、据付作業および据付工程を動的に作成ないし変更することができる。その結果、据付計画の検証及びプラント納期に及ぼす影響を判断できるから、構造モデルの構成の変更、あるいは荷受日を早めに変更するなどの対応を取ることにより、最適納期を計画および管理することができる。
【００３３】
また、本実施の形態によれば、資材（または、機器）の発注、荷受、保管、据付日程の設定等、サイト内資材物流の動的管理が可能となる。また、据付作業の比較により、資機材の最適納期、効率的な据付作業手順の検討が可能となる。
【００３４】
また、工事工数と仮設材物量の算出、工事進行状況および作業内容を３Ｄ画像に表示するようにしたことから、据付作業の適否の比較を容易に行うことができる。
【実施例１】
【００３５】
ここで、上記実施の形態の据付作業確認手段１０５をプラント配管の据付工事計画に適用した一実施例を図６と図７を参照して説明する。据付工事計画者は、図６に示す３Ｄ画像によりプラントの完成図を確認しながら、それぞれの構造モデルに据付完了設定日、据付搬入ルート等の据付データを入力する。据付作業確認手段１０５は、与えられた据付データと、各構造モデルが持つ資材データ１０８と配置データ１１３に基づいて自動的に工事工数と仮設材物量を計算し、３Ｄ画像表示装置１０６等に表示して出力することにより、据付工事計画者に知らせる。同時に、据付搬入ルート干渉チェックが自動的に行われ、干渉がある場合にはその構造モデルの表示色を変えることにより、干渉があることを据付工事計画者に知らせる。据付工事計画者は、３Ｄ画像を確認しながら据付データの変更作業を行い、据付搬入ルートの干渉がない据付データを完成させる。
【００３６】
ここで、図６に示す３Ｄプラント完成図において、据付工事計画者が配管Ｐ００３の据付作業を確認しながら修正する一例を図７に示す。ここで示す配管Ｐ００３とは、据付完了設定日が同一であり、資材相互接続関係を共有する複数の資材モデルが自動的にグループ化された配管グループである。据付工事計画者が据付作業を確認しながら修正する配管として配管グループＰ００３に含まれる資材モデルを選択すると、据付作業確認手段１０５は自動的にその配管グループＰ００３の据付完了設定日を確認し、その設定日におけるプラント据付状態を３Ｄ画像として表示する。図７の例では、その設定日に据付完了していない配管グループＰ００５、Ｐ００６は３Ｄ画像に表示されない。また、それぞれのモデルの資材相互接続関係である溶接点Ｗ００１〜Ｗ０１０が表示される。
【００３７】
図７に示す例の場合、溶接点Ｗ００１、Ｗ００３、Ｗ００４、Ｗ００９、Ｗ０１０が現地溶接として表示され、溶接点Ｗ００２、Ｗ００５、Ｗ００６、Ｗ００７、Ｗ００８が工場溶接として表示される。配管グループＰ００３の搬入時に配管グループＰ００５、Ｐ００６は据付けられていないから、配管グループＰ００３の搬入時には干渉が無いことを確認できる。そこで、現地溶接点Ｗ００４、Ｗ００９を現地ブロック溶接とすることにより、高所作業や、それに伴う仮設足場の組立作業を削減し、工事工数を短縮させるとともに、仮設材物量の低減を図ることができる。
【実施例２】
【００３８】
本発明の据付作業確認手段１０５は、実際の工事において、配管の納期遅れやその他要因により配管の据付完了設定日の変更が発生した場合に、据付作業の変更の妥当性を判断することができる。例えば、図６に示す３Ｄプラント完成図に前記実施例１の据付データを設定した場合に、配管グループＰ００３の据付完了前に配管グループＰ００５を据付完了したいという変更が発生した場合の例を説明する。
【００３９】
据付工事計画者が、配管グループＰ００５の据付完了設定日を配管グループＰ００３の据付完了設定日よりも前の日付で入力すると、現地ブロック溶接によって配管グループＷ０００３における溶接点Ｗ００３から溶接点Ｗ０１０まで長尺化した配管ブロックは、配管グループＰ００５の据付完了設定日の変更により、据付搬入ルートに干渉が発生する。この場合、自動的に配管グループＰ００３の３Ｄ画像の表示色が変わるので、据付工事計画者は据付搬入ルートの変更、又は溶接方法の変更を行うことにより、干渉を回避させることができる。例えば、図７に示す例の場合、溶接点Ｗ００４、Ｗ００９の現地ブロック溶接を、現地溶接に変更することにより、配管を個々に搬入することで干渉を回避させることができる。このとき、据付工事計画者は現地高所溶接箇所の増加に伴う工事工数、仮設財物量の増加が自動計算により確認可能である。
【図面の簡単な説明】
【００４０】
【図１】本発明の一実施の形態の据付工事管理システムの全体構成図である。
【図２】図１の据付工事管理システムの処理手順の概要を示すフローチャートである。
【図３】据付状況と作業内容の確認の処理手順を示すフローチャートである。
【図４】据付搬入ルート干渉チェックの処理手順を示すフローチャートである。
【図５】仮設材物量と工事工数の算出の処理手順を示すフローチャートである。
【図６】本発明をプラント配管の据付工事計画に適用した一実施例を説明するための３Ｄ画像の一例を示す図である。
【図７】本発明をプラント配管の据付工事計画に適用した一実施例を説明するための３Ｄ画像の一例を示す図である。
【符号の説明】
【００４１】
１０１  据付工事管理システム
１０２  資材モデルデータベース
１０３  構造モデルデータベース
１０４  据付データ入力手段
１０５  据付作業確認手段
１０６  ３Ｄ画像表示装置
１０７  資材モデル
１０８  資材データ
１１２  構造モデル
１１３  配置データ
１１６  資材相互接続関係
１１７  据付データ
１１８  サイト荷受日
１１９  仮置位置
１２０  据付完了設定日
１２１  据付搬入ルート
１２２  資材相互接続関係
１２３  工事進行状況／作業内容確認手段
１２４  据付搬入ルート干渉チェック手段
１２５  仮設材物量算出手段
１２６  工事工数算出手段
【図１】
2005242531.tif 000003
【図２】
2005242531.tif 000004
【図３】
2005242531.tif 000005
【図４】
2005242531.tif 000006
【図５】
2005242531.tif 000007
【図６】
2005242531.tif 000008
【図７】
2005242531.tif 000009